(57)【要約】【課題】トレイが筐体の収納部に収納可能に設けられた用紙排出装置において、排出された用紙が収納部とトレイの隙間に入り込むことを防止する。【解決手段】用紙排出装置１００は、用紙を排出する排出口１０１ａと、排出口の下方に設けられた収納部１０１ｂとを有する筐体１０１と、下方に張り出すように円弧状に形成され、収納部から引き出し可能に収納部に収納され且つ収納部から引き出された状態で排出口から排出された用紙を積載するトレイ１０４と、排出口と収納部の開口部との間に揺動可能に筐体に設けられたカバー１０３と、を有し、カバーの揺動端部１０３ｄは、トレイが収納部から引き出される動作と連動して下方に移動する。【選択図】図１Ｂ
2019196261.tif 000002
【特許請求の範囲】
【請求項１】
用紙を排出する排出口と、前記排出口の下方に設けられた収納部とを有する筐体と、
下方に張り出すように円弧状に形成され、前記収納部から引き出し可能に前記収納部に収納され且つ前記収納部から引き出された状態で前記排出口から排出された用紙を積載するトレイと、
前記排出口と前記収納部の開口部との間に揺動可能に前記筐体に設けられたカバーと、を有し、
前記カバーの揺動端部は、前記トレイが前記収納部から引き出される動作と連動して下方に移動する、
ことを特徴とする用紙排出装置。
【請求項２】
前記トレイが前記収納部に収納された状態で、前記トレイの端部と前記カバーとによって、前記開口部が封止される、請求項１に記載の用紙排出装置。
【請求項３】
前記トレイは、用紙排出方向に延伸するリブを有し、
前記カバーは、前記揺動端部に設けられ且つ前記トレイが前記収納部から引き出される際に前記リブが当接する突起部を有する、請求項１に記載の用紙排出装置。
【請求項４】
前記トレイは、
前記トレイの用紙排出方向の下流側の端部における曲率が上流側の端部における曲率より大きくなるように形成され、
前記収納部に収納された状態で、前記トレイの用紙排出方向の下流側の端部が、前記開口部から突出するように設けられる、請求項１〜３の何れか一項に記載の用紙排出装置。
【請求項５】
前記トレイは、前記収納部に収納された状態で、前記トレイの用紙排出方向の下流側の端部が、前記筐体の用紙排出方向の下流側の端部より上流側に配置されるように設けられる、請求項１〜４の何れか一項に記載の用紙排出装置。
【発明の詳細な説明】
【技術分野】
【０００１】
本発明は、用紙排出装置に関し、特に、筐体に引き出し可能に収納されるトレイを有する用紙排出装置に関する。
【背景技術】
【０００２】
近年、画像読取装置、画像複写装置等の用紙排出装置では、未使用時の装置サイズの小型化が望まれている。そのため、例えば、排出された用紙を積載するトレイを筐体の収納部から引き出し可能に設けておき、未使用時には収納部に収納するトレイ収納タイプの用紙排出装置が利用されている。
【０００３】
装置の開口部から排出された記録シートを積載保持する排出トレイユニットと、排出トレイユニットを引き出し収納可能に格納するトレイ格納部と、装置に回動可能に設けられたフロントカバーとを有する記録装置が開示されている。この記録装置では、フロントカバーは、トレイ格納部から引き出された排出トレイユニットを支持するように、排出トレイユニットの下方に設けられている（特許文献１を参照）。
【先行技術文献】
【特許文献】
【０００４】
【特許文献１】特開２００４−３５２４８号公報
【発明の概要】
【発明が解決しようとする課題】
【０００５】
一般に、用紙排出装置では、排出された用紙がトレイに適切に積載されるように、トレイは、用紙排出方向の下流側が上流側より高くなるように設けられている。そのため、トレイが筐体の収納部に収納可能に設けられた用紙排出装置では、排出された用紙が用紙排出方向の上流側に戻っていき、収納部とトレイの隙間に入り込んでしまう可能性がある。したがって、このような用紙排出装置では、排出された用紙が収納部とトレイの隙間に入り込むことを防止することが望まれている。
【０００６】
本発明の目的は、トレイが筐体の収納部に収納可能に設けられた用紙排出装置において、排出された用紙が収納部とトレイの隙間に入り込むことを防止することにある。
【課題を解決するための手段】
【０００７】
本実施形態の一側面に係る用紙排出装置は、用紙を排出する排出口と、排出口の下方に設けられた収納部とを有する筐体と、下方に張り出すように円弧状に形成され、収納部から引き出し可能に収納部に収納され且つ収納部から引き出された状態で排出口から排出された用紙を積載するトレイと、排出口と収納部の開口部との間に揺動可能に筐体に設けられたカバーと、を有し、カバーの揺動端部は、トレイが収納部から引き出される動作と連動して下方に移動する。
【発明の効果】
【０００８】
本発明によれば、トレイが筐体の収納部に収納可能に設けられた用紙排出装置において、排出された用紙が収納部とトレイの隙間に入り込むことを防止することが可能となる。
【図面の簡単な説明】
【０００９】
【図１Ａ】用紙排出装置１００の斜視図である。
【図１Ｂ】用紙排出装置１００の斜視図である。
【図２Ａ】用紙排出装置１００の底面図である。
【図２Ｂ】用紙排出装置１００の底面図である。
【図３Ａ】トレイ１０４の斜視図である。
【図３Ｂ】トレイ１０４の斜視図である。
【図４Ａ】トレイ１０４の側面図である。
【図４Ｂ】トレイ１０４の側面図である。
【図５Ａ】カバー１０３の斜視図である。
【図５Ｂ】カバー１０３の上面図である。
【図５Ｃ】カバー１０３の底面図である。
【図６】カバー１０３等を取り外した状態の筐体１０１の斜視図である。
【図７Ａ】カバー１０３及びトレイ１０４の動作を説明するための模式図である。
【図７Ｂ】カバー１０３及びトレイ１０４の動作を説明するための模式図である。
【図８Ａ】カバーを固定にした用紙排出装置について説明するための模式図である。
【図８Ｂ】カバーを固定にした用紙排出装置について説明するための模式図である。
【図９Ａ】カバーを固定にした用紙排出装置について説明するための模式図である。
【図９Ｂ】カバーを固定にした用紙排出装置について説明するための模式図である。
【図１０Ａ】他の用紙排出装置４００について説明するための模式図である。
【図１０Ｂ】他の用紙排出装置４００について説明するための模式図である。
【発明を実施するための形態】
【００１０】
以下、本発明の一側面に係る用紙排出装置について図を参照しつつ説明する。但し、本発明の技術的範囲はそれらの実施の形態に限定されず、特許請求の範囲に記載された発明とその均等物に及ぶ点に留意されたい。
【００１１】
図１Ａ及び図１Ｂは、イメージスキャナとして構成された用紙排出装置１００の斜視図である。図１Ａは、未使用時の用紙排出装置１００を示し、図１Ｂは、使用時の用紙排出装置１００を示す。
【００１２】
用紙排出装置１００は、筐体１０１、用紙台１０２、カバー１０３及びトレイ１０４等を有する。
【００１３】
筐体１０１は、樹脂材料等で形成され、用紙排出装置１００内部に配置された各部品を覆う。筐体１０１は、不図示の搬送ローラ及び撮像装置を有し、用紙台１０２に載置された用紙（原稿）を搬送しながら読み取って画像を生成する。また、筐体１０１は、搬送された用紙を排出する排出口１０１ａを有し、搬送された用紙を排出口１０１ａからトレイ１０４に排出する。
【００１４】
用紙台１０２は、樹脂材料等で形成され、筐体１０１に係合している。用紙台１０２は、複数枚の用紙を載置し、載置された各用紙を連続して筐体１０１に供給する。
【００１５】
カバー１０３は、樹脂材料等で形成され、筐体１０１に、排出口１０１ａとトレイ１０４の間に設けられる。図１Ａに示すように、カバー１０３は、用紙排出装置１００が未使用時に、筐体１０１に収納されたトレイ１０４の用紙排出方向Ａ１の下流側の端部をカバーする。また、図１Ｂに示すように、カバー１０３は、用紙排出装置１００が使用時に、トレイ１０４の用紙排出方向Ａ１の上流側の端部をカバーする。
【００１６】
トレイ１０４は、樹脂材料等で形成され、筐体１０１に、カバー１０３の下方に設けられる。図１Ａに示すように、トレイ１０４は、用紙排出装置１００が未使用時に、筐体１０１内部に収納される。また、図１Ｂに示すように、トレイ１０４は、用紙排出装置１００が使用時に、用紙排出方向Ａ１に引き出され、筐体１０１から引き出された状態で、排出口１０１ａから排出された用紙を積載する。トレイ１０４は、トレイ本体１０５と、トレイ本体１０５から引き出し可能に設けられた第１スライドトレイ１０６と、第１スライドトレイ１０６から引き出し可能に設けられた第２スライドトレイ１０７とを有する。第２スライドトレイ１０７の下流側の端部には取っ手１０７ａが設けられ、利用者は取っ手１０７ａを引くことにより第１スライドトレイ１０６及び第２スライドトレイ１０７をトレイ本体１０５から引き出すことができる。
【００１７】
なお、図１Ａに示すように、カバー１０３にはトレイ１０４が収納された状態で取っ手１０７ａに対向する位置に切欠き１０３ａが設けられ、利用者はトレイ１０４が収納された状態で取っ手１０７ａをつかんでトレイ１０４を引き出すことができる。
【００１８】
図２Ａは、未使用時の用紙排出装置１００の底面図であり、図２Ｂは、使用時の用紙排出装置１００の底面図である。
【００１９】
図２Ａ、図２Ｂに示すように、筐体１０１は、トレイ１０４を収納する収納部１０１ｂを有する。収納部１０１ｂは、排出口１０１ａの下方に設けられる。収納部１０１ｂには、用紙排出方向Ａ１と直交する方向Ａ２の両端に、用紙排出方向Ａ１に延伸する収納レール部１０１ｃが設けられる。トレイ１０４は、図２Ａに示すように、収納レール部１０１ｃに沿って収納部１０１ｂに収納され、図２Ｂに示すように、収納レール部１０１ｃに沿って収納部１０１ｂから引き出される。本実施形態では、収納部１０１ｂは、筐体１０１の下面において露出するように形成されているが、筐体１０１の下面により覆われるように形成されてもよい。
【００２０】
図３Ａ、図３Ｂは、用紙排出装置１００から取り外した状態のトレイ１０４の斜視図であり、図４Ａ、図４Ｂは、用紙排出装置１００から取り外した状態のトレイ１０４の側面図である。図３Ａ、図４Ａは、第１スライドトレイ１０６及び第２スライドトレイ１０７がトレイ本体１０５に収納された状態を示し、図３Ｂ、図４Ｂは、第１スライドトレイ１０６及び第２スライドトレイ１０７がトレイ本体１０５から引き出された状態を示す。
【００２１】
図３Ａ〜図４Ｂに示すように、トレイ本体１０５、第１スライドトレイ１０６及び第２スライドトレイ１０７は、それぞれ下方に張り出すように、即ち用紙排出方向Ａ１の下流側ほど高い位置に配置されるように、円弧状に形成される。
【００２２】
図４Ｂに示すように、トレイ本体１０５の用紙排出方向Ａ１の上流側の主要領域Ｒ１における（上面の）曲率半径は１２００〜１４００ｍｍに設定され、好ましくは１３００ｍｍに設定される。一方、トレイ本体１０５の用紙排出方向Ａ１の下流側の先端領域Ｒ２における（上面の）曲率半径は１００〜３００ｍｍに設定され、好ましくは２００ｍｍに設定される。第１スライドトレイ１０６の（上面の）曲率半径は９００〜１１００ｍｍに設定され、好ましくは１０００ｍｍに設定される。第２スライドトレイ１０７の（上面の）曲率半径は９００〜１１００ｍｍに設定され、好ましくは１０００ｍｍに設定される。このように、トレイ１０４は、第１、第２スライドトレイ１０６、１０７を使用する場合及び使用しない場合の何れの場合も、トレイ１０４の用紙排出方向Ａ１の下流側の端部における曲率が、上流側の端部における曲率より大きくなるように形成される。なお、曲率は、曲率半径の逆数である。また、トレイ１０４は、第１、第２スライドトレイ１０６、１０７を使用しない場合に、トレイ１０４の用紙排出方向Ａ１の上流側から下流側に向けて次第に曲率が大きくなるように形成される。
【００２３】
用紙排出装置１００の設置面に対するトレイ本体１０５の用紙排出方向Ａ１の両端をつなぐ直線の角度θ１は、略８度（６度〜１０度）である。用紙排出装置１００の設置面に対する第１スライドトレイ１０６の用紙排出方向Ａ１の両端をつなぐ直線の角度θ２は、略２０度（１８度〜２２度）である。用紙排出装置１００の設置面に対する第２スライドトレイ１０７の用紙排出方向Ａ１の両端をつなぐ直線の角度θ３は、略３２度（３０度〜３４度）である。このように、用紙排出方向Ａ１の下流側ほど高い位置に配置されるようにトレイ１０４が形成されることにより、排出された用紙はトレイ１０４を超えずに、トレイ１０４に適切に積載される（スタック性の向上）。
【００２４】
トレイ本体１０５には、用紙排出方向Ａ１と直交する方向Ａ２の両端に、用紙排出方向Ａ１に延伸するトレイ本体ガイド部１０５ａが設けられる。トレイ本体ガイド部１０５ａが、収納部１０１ｂに設けられた収納レール部１０１ｃに沿ってスライドすることにより、トレイ１０４は、収納部１０１ｂから引き出され、又は、収納部１０１ｂに収納される。
【００２５】
また、トレイ本体１０５には、上面（用紙積載面）に、第１スライドトレイ１０６を収納するトレイ本体凹部１０５ｂが形成される。トレイ本体凹部１０５ｂには、用紙排出方向Ａ１と直交する方向Ａ２の両端に、用紙排出方向Ａ１に延伸するトレイ本体レール部１０５ｃが設けられる。一方、第１スライドトレイ１０６には、用紙排出方向Ａ１と直交する方向Ａ２の両端に、用紙排出方向Ａ１に延伸する第１スライドトレイガイド部１０６ａが設けられる。第１スライドトレイガイド部１０６ａが、トレイ本体レール部１０５ｃに沿ってスライドすることにより、第１スライドトレイ１０６は、トレイ本体凹部１０５ｂから引き出され、又は、トレイ本体凹部１０５ｂに収納される。
【００２６】
同様に、第１スライドトレイ１０６には、上面（用紙積載面）に、第２スライドトレイ１０７を収納する第１スライドトレイ凹部１０６ｂが形成される。第１スライドトレイ凹部１０６ｂには、用紙排出方向Ａ１と直交する方向Ａ２の両端に、用紙排出方向Ａ１に延伸する第１スライドトレイレール部１０６ｃが設けられる。一方、第２スライドトレイ１０７には、用紙排出方向Ａ１と直交する方向Ａ２の両端に、用紙排出方向Ａ１に延伸する第２スライドトレイガイド部１０７ｂが設けられる。第２スライドトレイガイド部１０７ｂが、第１スライドトレイレール部１０６ｃに沿ってスライドすることにより、第２スライドトレイ１０７は、第１スライドトレイ凹部１０６ｂから引き出され、又は、第１スライドトレイ凹部１０６ｂに収納される。
【００２７】
また、トレイ本体１０５は、用紙排出方向Ａ１に延伸し且つカバー１０３と当接するリブ１０５ｄを有する。
【００２８】
図５Ａ、図５Ｂ、図５Ｃは、それぞれ用紙排出装置１００から取り外した状態のカバー１０３の斜視図、上面図及び底面図である。
【００２９】
図５Ａ〜図５Ｃに示すように、カバー１０３は、用紙排出方向Ａ１を短手方向とし、用紙排出方向Ａ１と直交する方向Ａ２を長手方向とするように、板状に形成される。カバー１０３には、用紙排出方向Ａ１の上流側の端部であり且つ用紙排出方向Ａ１と直交する方向Ａ２の両端に、ボス等の軸部材１０３ｂが設けられる。カバー１０３は、軸部材１０３ｂを揺動軸として、軸部材１０３ｂを中心に、筐体１０１に対して矢印Ａ３の方向に揺動可能に支持される。以下では、カバー１０３の用紙排出方向Ａ１の上流側の端部を揺動軸部１０３ｃと称し、カバー１０３の用紙排出方向Ａ１の下流側の端部を揺動端部１０３ｄと称する場合がある。
【００３０】
カバー１０３は、揺動端部１０３ｄの下面に、用紙排出方向Ａ１と直交する方向Ａ２に延伸するように設けられた突起部１０３ｅを有する。突起部１０３ｅは、トレイ１０４のリブ１０５ｄと対向する位置に設けられ、トレイ１０４が収納部１０１ｂから引き出される際にリブ１０５ｄと当接する。即ち、突起部１０３ｅは、トレイ１０４が収納部１０１ｂから引き出される動作、又は、収納部１０１ｂに収納される動作と連動して、リブ１０５ｄに沿って摺動する。トレイ１０４の全面とカバー１０３の全面が当接するのではなく、リブ１０５ｄと突起部１０３ｅのみが当接することにより、トレイ１０４とカバー１０３の接触面積が小さくなり、トレイ１０４が収納部１０１ｂから引き出される際の摩擦が低減する。これにより、用紙排出装置１００では、トレイ１０４をスムーズに引き出すこと、又は、収納することが可能となる。
【００３１】
図６は、カバー１０３及びトレイ１０４を取り外した状態の筐体１０１の斜視図である。
【００３２】
図６に示すように、筐体１０１には、排出口１０１ａと収納部１０１ｂの開口部１０１ｄとの間に、用紙排出方向Ａ１と直交する方向Ａ２の両端に穴等による軸受け部１０１ｅが形成されている。カバー１０３の軸部材１０３ｂを軸受け部１０１ｅに係合させることにより、カバー１０３は、収納部１０１ｂの開口部１０１ｄ周辺、特に排出口１０１ａと開口部１０１ｄとの間に、揺動可能に設けられる。
【００３３】
図７Ａ及び図７Ｂは、カバー１０３及びトレイ１０４の動作を説明するための模式図である。図７Ａは、未使用時の用紙排出装置１００を示し、図７Ｂは、使用時の用紙排出装置１００を示す。
【００３４】
図７Ａ及び図７Ｂに示すように、用紙排出装置１００の搬送路には、排出ローラ１１１及び従動ローラ１１２が設けられる。排出ローラ１１１は、排出口１０１ａの用紙排出方向Ａ１の上流側、特に排出口１０１ａの近傍に配置され、従動ローラ１１２は、搬送路を挟んで排出ローラ１１１と対向する位置に配置される。排出ローラ１１１及び従動ローラ１１２は、搬送された用紙をトレイ１０４に排出する。
【００３５】
カバー１０３は、トレイ１０４が収納部１０１ｂに収納される動作及び収納部１０１ｂから引き出される動作と連動して揺動可能に設けられている。図７Ａに示すように、第１、第２スライドトレイ１０６、１０７がトレイ本体１０５に収納され且つトレイ１０４が収納部１０１ｂに収納されたときに、トレイ１０４の用紙排出方向Ａ１の下流側の端部１０４ａは、カバー１０３の揺動端部１０３ｄと対向する。これにより、トレイ１０４が収納部１０１ｂに収納された状態で、トレイ１０４の端部１０４ａとカバー１０３とによって、収納部１０１ｂの開口部１０１ｄは封止される。上記したように、トレイ１０４は、用紙排出方向Ａ１の下流側ほど高い位置に配置されるように形成される。そのため、トレイ１０４が収納部１０１ｂに収納された状態で、カバー１０３の揺動端部１０３ｄは、トレイ１０４の端部１０４ａと対向し、最も高い位置（上方）に配置される。
【００３６】
この状態からトレイ１０４が引き出されると、図７Ｂに示すように、カバー１０３の揺動端部１０３ｄは、トレイ１０４が収納部１０１ｂから引き出される動作と連動して下方に移動する。カバー１０３は揺動端部１０３ｄをトレイ１０４に当接させながら移動するため、トレイ１０４の移動に関わらず、収納部１０１ｂとトレイ１０４の隙間（収納部１０１ｂの上面とトレイ１０４の上面の間の開口部１０１ｄ）は、カバー１０３で常に覆われる。トレイ１０４が筐体１０１の収納部１０１ｂに収納された状態における、用紙排出装置１００の設置面に対するカバー１０３の角度は、略０度（−２度〜２度）である。一方、トレイ１０４が筐体１０１から引き出された状態における、用紙排出装置１００の設置面に対するカバー１０３の角度θ４は、略５度（３度〜７度）である。
【００３７】
なお、図７Ｂに示す状態からトレイ１０４が収納部１０１ｂに押し込まれると、カバー１０３の揺動端部１０３ｄは、トレイ１０４が収納部１０１ｂに押し込まれる動作と連動して図７Ａに示す位置まで上方に移動する。
【００３８】
また、図７Ａ、図７Ｂに示すように、用紙排出装置１００の設置面に対する収納レール部１０１ｃの角度は、略０度（−２度〜２度）であり、トレイ１０４は、用紙排出装置１００の設置面に対して略水平方向に引き出される。上記したように、トレイ１０４は、用紙排出方向Ａ１の下流側の端部１０４ａの位置が最も高くなるように円弧状に形成されている。そのため、トレイ１０４が略水平方向に引き出されるにも関わらず、第２スライドトレイ１０７の用紙排出方向Ａ１の下流側の端部１０７ｃは十分に高い位置に配置され、用紙排出装置１００は、排出された用紙をトレイ１０４に適切に積載することが可能となる。
【００３９】
一方、図７Ａに示すように、トレイ１０４は、収納部１０１ｂに収納された状態で、トレイ１０４の用紙排出方向Ａ１の下流側の端部１０４ａが、収納部１０１ｂの開口部１０１ｄから突出するように設けられる。用紙排出装置１００は、トレイ１０４において最も高い位置に配置される端部１０４ａを開口部１０１ｄから突出させることにより、収納部１０１ｂの高さを低減し、用紙排出装置１００全体の高さを低減することができる。
【００４０】
また、図７Ａに示すように、トレイ１０４は、収納部１０１ｂに収納された状態で、トレイ１０４の用紙排出方向Ａ１の下流側の端部１０４ａが、筐体１０１の用紙排出方向の下流側の端部１０１ｆより上流側に配置されるように設けられる。これにより、用紙排出装置１００は、未使用時にトレイ１０４を筐体１０１から突出させず、奥行きサイズを低減することが可能となり、利用者は、用紙排出装置１００を棚等に容易に収納することが可能となる。
【００４１】
以下、カバー１０３の揺動端部１０３ｄをトレイ１０４の引き出し動作に応じて下方に移動させて、トレイ１０４の移動に関わらず、収納部１０１ｂとトレイ１０４の隙間をカバー１０３で常に覆うことの技術的意義について説明する。
【００４２】
図８Ａ、図８Ｂは、カバー２０３を固定にした用紙排出装置２００について説明するための模式図である。図８Ａは、未使用時の用紙排出装置２００を示し、図８Ｂは、使用時の用紙排出装置２００を示す。
【００４３】
排出された用紙をトレイ２０４に適切に積載させるためには、トレイ２０４の下流側の先端２０４ａを高い位置に配置する必要がある。図８Ａに示すように、トレイ２０４が収納されたときに収納部２０１ｂの開口部２０１ｄを封止するためには、カバー２０３の下流側の先端２０３ｄをトレイ２０４の先端２０４ａに当接させる必要があり、先端２０３ｄを高い位置に配置する必要がある。そのため、図８Ｂに示すように、カバー２０３を固定すると、トレイ２０４を引き出したときにカバー２０３の先端２０３ｄとトレイ２０４との間に隙間Ｇが発生し、開口部２０１ｄを封止することができない。したがって、この用紙排出装置２００では、トレイ２０４上に排出された用紙が収納部２０１ｂに入り込んでしまう可能性がある。また、この用紙排出装置２００では、カバー２０３とトレイ２０４の間に、隙間Ｇによる段差が発生し、用紙がトレイ２０４上にスムーズに排出されない可能性もある。
【００４４】
図９Ａ、図９Ｂは、カバー３０３を固定にした他の用紙排出装置３００について説明するための模式図である。図９Ａは、未使用時の用紙排出装置３００を示し、図９Ｂは、使用時の用紙排出装置３００を示す。
【００４５】
図９Ａに示すように、用紙排出装置３００では、トレイ３０４の収納部３０１ｂにおいて収納レール部３０１ｃが用紙排出装置３００の設置面に対して傾くように設けられている。これにより、図９Ｂに示すように、カバー３０３を固定していても、トレイ３０４を引き出したときにカバー３０３の下流側の先端３０３ｄとトレイ３０４との間に隙間が発生せず、収納部３０１ｂの開口部３０１ｄを封止することができる。しかしながら、この用紙排出装置３００では、収納部３０１ｂの高さＨが大きくなり、用紙排出装置３００全体の高さが大きくなってしまう。この場合、給紙する用紙をセットする用紙台の位置も高くなり、利用者にとって、用紙をセットしにくくなる可能性もある。
【００４６】
なお、用紙排出装置３００は、収納レール部３０１ｃを傾ける代わりに、トレイ３０４の曲率を大きくすることによっても、トレイ３０４を引き出した場合にカバー３０３の先端３０３ｄとトレイ３０４との間の隙間の発生を防ぐことが可能となる。しかしながら、トレイ３０４の曲率を大きくした場合も、収納部３０１ｂの高さＨが大きくなり、用紙排出装置３００全体の高さが大きくなってしまう。
【００４７】
一方、本実施形態の用紙排出装置１００は、カバー１０３の揺動端部１０３ｄをトレイ１０４の引き出し動作に応じて下方に移動させる。これにより、用紙排出装置１００は、トレイ１０４の下流側の端部１０４ａを高い位置に配置し、収納レール部１０１ｃを装置の設置面に対して略水平に設けつつ、収納部１０１ｂとトレイ１０４の隙間をカバー１０３で常に覆うことができる。したがって、用紙排出装置１００は、排出された用紙をトレイ１０４に適切に積載させ、用紙排出装置１００全体の高さを低減しつつ、トレイ１０４上に排出された用紙が収納部１０１ｂとトレイ１０４の隙間に入り込むことを防止できる。また、用紙排出装置１００では、カバー１０３の揺動端部１０３ｄがトレイ１０４に常に当接するため、カバー１０３とトレイ１０４の間に段差が発生せず、用紙をトレイ１０４上にスムーズに排出することが可能となる。また、用紙排出装置１００では、用紙排出装置１００全体の高さが低減するため、利用者の作業スペースも低減することが可能となる。さらに、用紙排出装置１００では、用紙台１０２の高さも低減するため、用紙セット時の利用者の利便性を向上させることも可能となる。
【００４８】
以上詳述したように、トレイ１０４が筐体１０１の収納部１０１ｂに収納可能に設けられた用紙排出装置１００において、排出された用紙が収納部１０１ｂとトレイ１０４の隙間に入り込むことを防止することが可能となった。
【００４９】
また、用紙排出装置１００では、トレイ１０４が、用紙排出装置１００の前面に折り畳み可能に設けられているのではなく、収納部１０１ｂに収納可能に設けられている。そのため、用紙排出装置１００の前面にＬＣＤ（Liquid Crystal Display）等の表示装置が設けられている場合に、利用者は、トレイ１０４を収納部１０１ｂに収納した状態で表示装置を利用することができる。したがって、利用者は、トレイ１０４を引き出すための十分なスペースがない場所でも用紙排出装置１００を使用することができる。
【００５０】
また、用紙排出装置１００では、収納部１０１ｂがカバー１０３に覆われて、利用者によって目視されないため、デザイン性を向上させることが可能となる。
【００５１】
図１０Ａ及び図１０Ｂは、他の実施形態に係る用紙排出装置４００について説明するための模式図である。図１０Ａは、未使用時の用紙排出装置４００を示し、図１０Ｂは、トレイ４０４が引き出されている途中である用紙排出装置４００を示す。
【００５２】
図１０Ａに示すように、用紙排出装置４００では、トレイ４０４が収納部４０１ｂに収納された状態における、用紙排出装置４００の設置面に対するカバー４０３の角度は、略９０度（８８度〜９２度）である。用紙排出装置４００では、この状態で、カバー４０３単体によって、収納部４０１ｂの開口部４０１ｄが封止される。この状態からトレイ４０４が引き出されると、トレイ４０４は、用紙排出方向Ａ１の下流側の先端４０４ａをカバー４０３に当接させながら移動する。このとき、カバー４０３の揺動端部４０３ｄは、揺動軸部４０３ｃを中心に揺動し、トレイ４０４が収納部４０１ｂから引き出される動作と連動して上方に移動していく。図１０Ｂに示すように、カバー４０３の揺動端部４０３ｄがトレイ４０４の先端４０４ａに当接したときに、カバー４０３の揺動端部４０３ｄは最も高い位置に配置される。この状態からさらにトレイ４０４が引き出されると、図７Ｂに示した用紙排出装置１００と同様に、カバー４０３の揺動端部４０３ｄは、揺動軸部４０３ｃを中心に揺動し、トレイ４０４が収納部４０１ｂから引き出される動作と連動して下方に移動する。
【００５３】
以上詳述したように、用紙排出装置４００においても、排出された用紙が収納部４０１ｂとトレイ４０４の隙間に入り込むことを防止することが可能となった。
【００５４】
以上、本発明の好適な実施形態について説明してきたが、本発明はこれらの実施形態に限定されるものではない。用紙排出装置１００は、イメージスキャナでなく、ファクシミリ、インクジェットプリンタ、レーザプリンタ、プリンタ複合機（ＭＦＰ、Multifunction Peripheral）等でもよい。
【符号の説明】
【００５５】
１００    用紙排出装置
１０１    筐体
１０１ａ    排出口
１０１ｂ    収納部
１０１ｄ    開口部
１０３    カバー
１０３ｄ    揺動端部
１０３ｅ    突起部
１０４    トレイ
１０５ｄ    リブ
【図１Ａ】
2019196261.tif 000003
【図１Ｂ】
2019196261.tif 000004
【図２Ａ】
2019196261.tif 000005
【図２Ｂ】
2019196261.tif 000006
【図３Ａ】
2019196261.tif 000007
【図３Ｂ】
2019196261.tif 000008
【図４Ａ】
2019196261.tif 000009
【図４Ｂ】
2019196261.tif 000010
【図５Ａ】
2019196261.tif 000011
【図５Ｂ】
2019196261.tif 000012
【図５Ｃ】
2019196261.tif 000013
【図６】
2019196261.tif 000014
【図７Ａ】
2019196261.tif 000015
【図７Ｂ】
2019196261.tif 000016
【図８Ａ】
2019196261.tif 000017
【図８Ｂ】
2019196261.tif 000018
【図９Ａ】
2019196261.tif 000019
【図９Ｂ】
2019196261.tif 000020
【図１０Ａ】
2019196261.tif 000021
【図１０Ｂ】
2019196261.tif 000022